(57)【要約】【課題】矩形の紙材のみにより構成された台紙を、打ち抜き等を介して複雑な形状に加工することなく、簡単に組み立て、組み外しをすることができるインフォメーションシート保持用ペーパーホルダを提供する。【解決手段】矩形形状の紙を折り畳むことで形成されるインフォメーションシート保持用ペーパーホルダにおいて、カレンダ等のインフォメーションシートＳを表示するための表示窓１２１を有する表面部１２０と、シートＳを背面から支える裏面部１３０と、裏面部を背面から押さえ付けてシートＳを安定に保持するための湾曲部と、ペーパーホルダ１００を安定した立体形状に保つための左右両側に形成される側方領域１５０と、側方領域１５０の側縁に形成された帯状部１８０を背面で結合させた結合部１８２を有するインフォメーションシート保持用ペーパーホルダである。【選択図】図１
2011067951.tif 000002
【特許請求の範囲】
【請求項１】
矩形形状の紙を折り畳むことで形成されるインフォメーションシート保持用ペーパーホルダにおいて、
対向する側縁が一致するか平行となるように折り畳むことで形成される山折り部であって、前記矩形形状の紙を互いに重なって一方が表面部をなしかつ他方が裏面部をなすように山折りして前記インフォメーションシート保持用ペーパーホルダを置く台との接地部をなす接地用山折り部と、
前記山折部で折り畳まれた一方の面をなす表面部に形成された表示窓と、
前記折り畳まれた表面部と裏面部の両端から一定の領域を前記表面部から見て山折する側方山折部であって、前記山折り部の折り線方向が前記インフォメーションシート保持用ペーパーホルダの使用状態で見て前記表面部の幅が高さ方向に広がるように斜めに形成された側方谷折り部と、
前記表面部の側方山折り部に対応する前記裏面部における側方谷折り部の、前記接地用山折り部から一定距離離間した位置において前記裏面部から見て略Ｖ字状のシート押さえ用谷折り部が形成され、
前記略Ｖ字状のシート押さえ用谷折り部によって画成される逆三角形領域の上側縁部を内側に湾曲させ、
前記略Ｖ字状のシート押さえ用谷折り部の湾曲した部分の弾性力を介して前記裏面部の両端を前記表面部の表示窓周囲の領域に押し付け、
前記インフォメーションシート保持用ペーパーホルダの使用状態で見て、前記裏面部の両側縁を当該裏面部の上端から一定距離だけ所定幅で切断して帯状部を形成し、かつ当該切断した帯状部の下端をその先端が互いに重なり合う向きに折り曲げ、
前記折り曲げられた帯状部の一方と他方にそれぞれ幅方向異なる縁から幅方向に一部切り込みを入れ、
前記各切り込み同士を引っかけて結合していることを特徴とするインフォメーションシート保持用ペーパーホルダ。
【請求項２】
前記接地用山折り部を形成する代わりに、前記接地部を形成するための山折部が幅狭の互いに平行した２本の山折部からなり、当該各山折部で挟まれた幅狭の領域が前記接地用山折り部の代わりに前記接地部をなすことを特徴とする、請求項１に記載のインフォメーションシート保持用ペーパーホルダ。
【請求項３】
前記側方折り曲げ分の折り曲げ前の状態において、前記接地用山折り部と前記側方折り曲げ部との交点を起点として前記側方折り曲げ部と前記接地用折り曲げ部とで挟まれる一定領域を切除したことを特徴とする、請求項１又は請求項２に記載のインフォメーションシート保持用ペーパーホルダ。
【請求項４】
前記表面部に窓部を形成する代わりに、当該窓部の領域を前記表面部をなす紙のままとし、前記表面部の任意の位置に情報を表示可能としたことを特徴とする、請求項１に記載のインフォメーションシート保持用ペーパーホルダ。
【発明の詳細な説明】
【技術分野】
【０００１】
本発明は、カレンダや写真、メモ用紙等の様々な視認可能な情報記録媒体を保持するインフォメーションシート保持用ペーパーホルダに関する。
【背景技術】
【０００２】
今日においては、産業の発展に伴い、大量生産、大量消費が進む一方で、省資源の観点からリサイクルの重要性が見直されている。特に、森林伐採による環境破壊から起こる様々な弊害に対する危機感は高まりつつあり、カーボンオフセットの思想が定着し、古紙の再利用に関しても注目が集まっている。
【０００３】
しかしながら、今日において流通する様々な製品を見る限り、リサイクルに特化した製品は未だ全体の一部でしかない。また、リサイクルできると銘打った製品であっても、その構成に様々な原料を用いるため、消費者がそれを分別してリサイクルに出すためには、それなりの手間を要する。そのために、リサイクルは面倒であるというイメージが少なからずあり、全体としてリサイクルに対する意識低下を招いていることは否めない。
【０００４】
こうした状況下において、従来から、卓上カレンダのようにテーブル等に置いて利用する紙製のカレンダホルダ等、リサイクル可能なように紙のみをその構成要素とする卓上スタンドホルダが知られている（例えば、特許文献１又は特許文献２参照）。
【０００５】
特許文献１の紙製スタンドは、二枚の台紙を組立てることで形成されており、ペン立て用のペン収容部を有する箱型の紙製卓上カレンダスタンドである。
【０００６】
特許文献２の紙製スタンドは、一枚の台紙を山形に折り曲げることで裏表二面の窓部を形成した紙製卓上カードスタンドである。
【先行技術文献】
【特許文献】
【０００７】
【特許文献１】特開２００６−１０６２号公報（００１８）〜（００３８）、図１乃至図７
【特許文献２】特開２００３−６１８０１号公報（０００５）〜（００１０）、図１乃至図１５
【発明の概要】
【発明が解決しようとする課題】
【０００８】
上述した何れの特許文献にかかる紙製ホルダも、特別な形状に打ち抜き加工した台紙を使用している。そのため、台紙をわざわざ特別な形状にしなければならないので、加工性に優れない。また、台紙の加工時に不要な部分が生じてしまい、省資源の観点でも好ましいとは言えない。
【０００９】
また、特許文献１に記載された紙製ホルダは、複雑な形状に打ち抜き加工した２枚の台紙によって構成されている。そのため、面積の広い紙を原料として用いなければならず、原料となる紙の有効利用を図る点で好ましいとは言えない。
【００１０】
また、同文献の段落（００１７）には、「比較的薄肉な紙素材を用いて」と記載されている。しかし、同文献の段落（００２１）に記載されているように、スリット１６ａに差し込み片１７を差し込むことによって、前壁と側壁との結合状態を維持するためには、それなりの厚みを有する紙を用いることが必要不可欠であり、利用できる紙が限られてしまう。
【００１１】
また、同文献の図２に示された第１の台紙からなる本体と、図５に示された第２の台紙からなる仕切り部材とを別々に組立て、それらを組み合わせることによって構成されているため、組立てたりばらしたりするのに手間を要する。
【００１２】
例えば、広告媒体として配付するような場合に、搬送、配付時の利便性を考慮すると、組立て前の状態で配付することが望ましいが、組立てに手間がかかるものでは、折角配付しても組立てて使用してもらえない可能性が高い。また、使用後リサイクルに出す際には折り目を開いて平面状に折畳んで他の古紙と重ねることが多いが、これに手間がかかると面倒であるため、使用者がリサイクルに出さず、そのままゴミとして捨てられてしまう懸念がある。
【００１３】
また、特許文献２にかかる紙製ホルダは、組立ての際に収納されたカードを中に挟み込む構成になっているため、同文献の段落（００１０）に記載されているように、「収納されたカードの差し替えは内側に折り込んである側面の包含片四辺のいずれかを起こすことで」差し替えなければならず、差し替えの際にいちいち組立て直さなければならないため作業性が悪い。このため、例えば一枚のシートに一ヶ月の日付及び曜日が印字され、予定を記入するための余白が設けられた１２枚のシートからなるカレンダには適さない。
【００１４】
また、側面を折り曲げただけの幅の狭い押え片によって、カードの裏面の一部しか支えておらず、カードの保持性に優れないため、収納するカード本体に厚みを持たせなければならず、生産性が悪い。
【００１５】
以上のことから、搬送時等にはシート状にすることができ、組み立て、解体が簡単で、原料となる紙を最大限有効活用することができる、リサイクル性に優れた卓上ホルダに代表されるインフォメーションシート保持用ペーパーホルダが求められている。
【００１６】
本発明の目的は、矩形の紙材のみにより構成された台紙を、打ち抜き等を介して複雑な形状に加工することなく、簡単に組み立て、組み外しをすることができるインフォメーションシート保持用ペーパーホルダを提供することにある。
【課題を解決するための手段】
【００１７】
上述した課題を解決するために、本発明の請求項１に係るインフォメーションシート保持用ペーパーホルダは、
矩形形状の紙を折り畳むことで形成されるインフォメーションシート保持用ペーパーホルダにおいて、
対向する側縁が一致するか平行となるように折り畳むことで形成される山折り部であって、前記矩形形状の紙を互いに重なって一方が表面部をなしかつ他方が裏面部をなすように山折りして前記インフォメーションシート保持用ペーパーホルダを置く台との接地部をなす接地用山折り部と、
前記山折部で折り畳まれた一方の面をなす表面部に形成された表示窓と、
前記折り畳まれた表面部と裏面部の両端から一定の領域を前記表面部から見て山折する側方山折部であって、前記山折り部の折り線方向が前記インフォメーションシート保持用ペーパーホルダの使用状態で見て前記表面部の幅が高さ方向に広がるように斜めに形成された側方谷折り部と、
前記表面部の側方山折り部に対応する前記裏面部における側方谷折り部の、前記接地用山折り部から一定距離離間した位置において前記裏面部から見て略Ｖ字状のシート押さえ用谷折り部が形成され、
前記略Ｖ字状のシート押さえ用谷折り部によって画成される逆三角形領域の上側縁部を内側に湾曲させ、
前記略Ｖ字状のシート押さえ用谷折り部の湾曲した部分の弾性力を介して前記裏面部の両端を前記表面部の表示窓周囲の領域に押し付け、
前記インフォメーションシート保持用ペーパーホルダの使用状態で見て、前記裏面部の両側縁を当該裏面部の上端から一定距離だけ所定幅で切断して帯状部を形成し、かつ当該切断した帯状部の下端をその先端が互いに重なり合う向きに折り曲げ、
前記折り曲げられた帯状部の一方と他方にそれぞれ幅方向異なる縁から幅方向に一部切り込みを入れ、
前記各切り込み同士を引っかけて結合していることを特徴としている。
【００１８】
本発明の請求項１に係るインフォメーションシート保持用ペーパーホルダによると、台紙が矩形形状をなしているため、例えばＡ４等の規格紙をそのまま台紙として用いることができ、従来品のように打ち抜き等の加工コストを必要としない。また、従来品のような特別な形状に打ち抜くことによる無駄な部分を生じさせないため、製造による廃棄物が生じず、省資源にも繋がり、リサイクル性に優れている。
【００１９】
また、インフォメーションシート保持用ペーパーホルダの後方で帯状部に形成した切り込み部を引っかけて結合させるだけの簡単な操作で組立てることができるようになっているため、誰でも簡単に、特別な道具を用いることなく短時間で組立て、組み外しをすることが可能である。このため、紙を二つ折りにしただけの矩形の平坦形状と、組立てた卓上スタンドの立体形状との２つの状態を、簡単に作り出すことができる。このため、ペーパーホルダ使用後にリサイクルに出す際、簡単に平坦な紙状にすることができ、また、台紙が規格紙と同等の形状と大きさを有しているため、他の古紙と難なく重ねることができる。この結果、リサイクルの際の面倒をある程度払拭することができ、リサイクルに対する意識向上を図ることができる。
【００２０】
また、搬送、配付、保管の利便性も良く、簡単に組立てられることから、例えば様々な種類のペーパースタンドを用意しておき、必要に応じて飾るものを変えることも簡単にできる。
【００２１】
更に、例えば、カレンダに予定を書き入れる際、ペーパーホルダからカレンダを取り出して予定を記入する代わりに、結合部を外してカレンダを机の上に平らに置いてメモを書き、書き終わったらすぐまた元の状態に戻して机上に置くこともできる。
【００２２】
また、例えば二つ折りの状態で封筒にいれて郵送したり、封筒を使わず二つ折のまま写真を挟んだ状態で、クリップ等で留めて友人に渡し、そのまま写真立てとして飾ってもらったりすることもできる。
【００２３】
また、Ｖ字状のシート押さえ用谷折り部を湾曲させた湾曲部が形成され、この弾性力を介してカレンダや写真を背面から押えて、カレンダや写真をしっかりと固定することができる。これによって、カレンダや写真を窓部に隙間なく押さえ付けているため、視認性に優れている。また、比較的薄い紙によって構成することができるため、省資源の点でも優れている。また、カレンダ等を取り出す際に押え部を楽に開くことができるので、カレンダ等の出し入れをする際の作業性にも優れている。
【００２４】
また、本発明の請求項２に係るインフォメーションシート保持用ペーパーホルダは、
前記接地用山折り部を形成する代わりに、前記接地部を形成するための山折部が幅狭の互いに平行した２本の山折部からなり、当該各山折部で挟まれた幅狭の領域が前記接地用山折り部の代わりに前記接地部をなすことを特徴としている。
【００２５】
本発明の請求項２に係るインフォメーションシート保持用ペーパーホルダによると、前記表示部と裏面部との間に一定間隔隙間ができることによって、中に挟むシートが複数枚あり、全体として厚みが生じてしまうような場合でも、抵抗なく挟むことができる。また、接地用山折り部が厚みを持つことによって、より安定して立体形状を保つことが可能となる。更に、比較的薄い紙を用いた場合でも、表示部と裏面部が厚みを持った立体形状になることにより、表面部に垂直にかかる力に強い形状になるため、表面部の面が折れ曲がり難くなる。
【００２６】
また、本発明の請求項３に係るインフォメーションシート保持用ペーパーホルダは、
前記側方折り曲げ分の折り曲げ前の状態において、前記接地用山折り部と前記側方折り曲げ部との交点を起点として前記側方折り曲げ部と前記接地用折り曲げ部とで挟まれる一定領域を切除したことを特徴としている。
【００２７】
本発明の請求項３に係るインフォメーションシート保持用ペーパーホルダによると、厚みを持った接地用山折り部が折り重なることなく、簡単に折り曲げることができ、作業性が良い。
【００２８】
また、本発明の請求項４に係るインフォメーションシート保持用ペーパーホルダは、
前記表面部に窓部を形成する代わりに、当該窓部の領域を、前記表面部をなす紙のままとし、前記表面部の任意の位置に情報を表示可能としたことを特徴としている。
【００２９】
本発明の請求項４に係るインフォメーションシート保持用ペーパーホルダによると、窓部を開けないことによって、表示部に宣伝広告等を印刷し、メモ用紙等を保持するホルダとして使用することができる。前面の表示部に宣伝広告を印刷し、客先に配付することによって、効果的に宣伝文句を見せることが可能となる。
【発明の効果】
【００３０】
本発明よると、矩形の紙材のみにより構成された台紙を、打ち抜き等を介して複雑な形状に加工することなく、簡単に組み立て、組み外しをすることができるインフォメーションシート保持用ペーパーホルダを提供することができる。
【図面の簡単な説明】
【００３１】
【図１】本発明の一実施形態に係るインフォメーションシート保持用ペーパーホルダを示す正面図である。
【図２】図１に示したインフォメーションシート保持用ペーパーホルダを示す背面図である。
【図３】図１に示したインフォメーションシート保持用ペーパーホルダを示す上面図である。
【図４】図１に示したインフォメーションシート保持用ペーパーホルダを示す斜視図である。
【図５】図１に示したインフォメーションシート保持用ペーパーホルダの製作前の展開図である。
【図６】図１に示したインフォメーションシート保持用ペーパーホルダの製作過程を順々に示す組立て説明図（図６（ａ））及び（図６（ｂ））である。
【図７】図５に示した説明図に続く製作過程を順々に示す組立て説明図（図７（ａ））及び（図７（ｂ））である。
【図８】図１に示したインフォメーションシート保持用ペーパーホルダの写真立てとしての使用例を示す正面図である。
【図９】図１に示したインフォメーションシート保持用ペーパーホルダのカレンダホルダとしての特別な使用例を示す正面図（図９（ａ））及び写真立てとしての特別な使用例を示す斜視図（図９（ｂ））である。
【図１０】本発明の一実施形態の第１変形例に係るインフォメーションシート保持用ペーパーホルダを示す正面図である。
【図１１】図１０に示したインフォメーションシート保持用ペーパーホルダを示す背面図である。
【図１２】図１０に示したインフォメーションシート保持用ペーパーホルダを示す第１の帯状部同士の結合を外した状態の背面図である。
【図１３】図１０に示したインフォメーションシート保持用ペーパーホルダを示す上面図である。
【図１４】図１０に示したインフォメーションシート保持用ペーパーホルダを示す側面図（図１４（ａ））及びメモ用紙を挟んだ状態の側面図（図１４（ｂ））である。
【図１５】図１０に示したインフォメーションシート保持用ペーパーホルダを示す底面図である。
【図１６】図１０に示したインフォメーションシート保持用ペーパーホルダの製作前の展開図である。
【図１７】本発明の一実施形態の第２変形例に係るインフォメーションシート保持用ペーパーホルダを示す正面図である。
【図１８】図１７に示したインフォメーションシート保持用ペーパーホルダを示す背面図である。
【図１９】図１７に示したインフォメーションシート保持用ペーパーホルダを示す上面図である。
【図２０】図１７に示したインフォメーションシート保持用ペーパーホルダの使用状態を示す正面図である。
【図２１】図１７に示したインフォメーションシート保持用ペーパーホルダ示す展開図である。
【図２２】図１に示したインフォメーションシート保持用ペーパーホルダの最適な寸法を示す展開図である。
【図２３】図１７に示したインフォメーションシート保持用ペーパーホルダの最適な寸法を示す展開図である。
【発明を実施するための形態】
【００３２】
以下、本発明の一実施形態に係るインフォメーションシート保持用ペーパーホルダ１００について図面に基づいて説明する。図１は、本発明の一実施形態に係るインフォメーションシート保持用ペーパーホルダ１００（以下、適宜単に「ペーパーホルダ」という。）を示す正面図、図２は、ペーパーホルダ１００の背面図、図３は、ペーパーホルダ１００の上面図、図４は、ペーパーホルダ１００の斜視図である。また、図５は、ペーパーホルダ１００の製作前の展開図である。
【００３３】
本実施形態に係るペーパーホルダ１００は、図５に示すように、予め特別な外形に成形することなく、矩形形状の紙を折畳んで簡単に形成することができることを特徴としている。
【００３４】
ペーパーホルダ１００を形成する台紙１１０は、矩形形状をなしており、折り目を入れるだけで簡単に形成することが可能である。本実施形態においては、例えばＡ４の規格に適合した比較的薄手の再生紙を用いており、台紙１１０を形成するために特別に型抜き作業を行うことも必要とせず、無駄な廃棄物を生じさせることもない。また、再生紙を用いることにより、使用後に何度でもペーパーホルダ１００を再生させることが可能である。なお、リサイクル上の観点から、原料紙としては再生紙を用いることが好ましい。このように、紙資源を用いた製品の生産、消費から再生産までを循環させ、資源の有効活用を図ると共に、森林伐採等による環境への悪影響を極力低減することは、近年重要視されつつあり、社会的にも要請が高まっている。
【００３５】
以下、上述した本実施形態に係るインフォメーションシート保持用ペーパーホルダ１００について説明する。本実施形態に係るペーパーホルダ１００は、図１乃至図４に示すように、カレンダ等のインフォメーションシートＳ（以下、適宜単に「シート」とする。）を表示するための表示窓１２１を有する表面部１２０と、シートＳを背面から支える裏面部１３０と、裏面部１３０を背面から押さえ付けてシートＳを安定に保持するための湾曲部と、ペーパーホルダ１００を安定した立体形状に保つための左右両側に形成される側方領域１５０と、側方領域１５０の側縁に形成された帯状部１８０を背面で結合させた結合部１８２とを有している。
【００３６】
表面部１２０は、ペーパーホルダ１００を例えば机やテーブルに置いた時に接地部になる下底が対向する上底に比べて短く、側辺が下底に対して等角をなして上に向かって広がった等脚台形の形状を有している。また、表面部１２０の上底は側方領域１５０によって引っ張られて、背面に向かってやや湾曲している。
【００３７】
また、表面部１２０は、カレンダ等のシートＳを表示するための表示窓１２１を有している。本実施形態においては、例えばカレンダシートＣとして、Ａ３の規格紙を１２等分した、縦８．８センチメートル、横１４センチメートルのシートＳを用いている。また、カレンダシートＣを表示窓１２１の周辺領域によって保持し、カレンダシートＣの日付や、使用者が書き込んだ予定等の情報を効果的に表示させるため、表示窓１２１はカレンダシートＣよりもやや小さい矩形形状を有している。
【００３８】
裏面部は、表面部１２０と略同等の形状を有しており、高さはシートＳを支えるのに十分であり、かつ正面から見て突出しない程度の高さになっている。
【００３９】
接地部１４１は、表面部１２０と裏面部１３０との間に形成された接地用山折り部１４０を山折りされた部分により形成されている。なお、本実施形態においては、接地用山折り部１４０を僅かに離間させて平行に二本形成することにより、線状の接地部１４１ではなく細長い面上の接地部１４１によって接地させる。この結果、接地部１４１が安定し、また表面部１２０と裏面部１３０が簡単には折れ曲がったりしないようになっている。また、側方山折り部１５１及び側方谷折り部１５２と、接地部１４１との重なり合う部分を一部切除することによって、接地部１４１を面にしたことによる側方山折り部１５１と側方谷折り部１５２の折り曲げる際の作業性向上を図っている。
【００４０】
側方領域１５０は、表面部１２０の側方山折り部１５１を山折りすることによって形成された山折り側方領域１５０と、裏面部１３０の側方谷折り部１５２を谷折りすることによって形成された谷折り側方領域１５０とからなる台形形状の領域である。側方山折り領域は、ペーパーホルダ１００の表示部を支える表面側壁部１６１をなしており、側方谷折り領域は背面から裏面部１３０を支える裏面側壁部１６２をなしている。
【００４１】
なお、側方山折り部１５１と側方谷折り部１５２が、接地面をなす底面に対して垂直ではなく、斜めに形成され、側方領域１５０が台形形状になるため、机上に置いた際にちょうど座った位置から表示部が見易いような角度をもって、表面部１２０が接地面に対して斜めになっている。
【００４２】
裏面側壁部１６２と裏面部１３０との間には、接地部１４１となる接地用山折り部１４０から一定距離離間して、Ｖ字状にシート押え用谷折り部１７０が形成されている。そして、シート押え用谷折り部１７０に挟まれた三角形状の領域を表面部１２０と反対側に向かって湾曲させ、この弾性力を介して裏面部１３０を表面部１２０に押し付け、表面部１２０と裏面部１３０とに挟まれて保持されるシートＳを押える力を強固なものにしている。なお、この湾曲部は、本発明において重要な役割を担っており、特徴的な形状を有しているため、以下、この特徴的形状を強調するためにこの湾曲部を「タマカーブ」と名付け、タマカーブ１７１を構成するシート押え用谷折り部１７０に挟まれた領域を「タマカーブ領域」とする。
【００４３】
また、タマカーブ１７１があることによって、シートＳの重みが直接裏面側壁部１６２に作用せずにタマカーブ１７１に吸収させるため、裏面側壁部１６２が変形することを防止することができる。更に、タマカーブ１７１は適度の弾性力を有しているので、簡単に裏面部１３０を押し下げ、表面部１２０と裏面部１３０との間に隙間を作ることができる。そのため、ペーパーホルダ１００によって保持するシートＳの出し入れを楽にすることができる。
【００４４】
また、帯状部１８０は、裏面部１３０の両側にある裏面側壁部１６２の側縁を、上端から一定距離だけ所定間隔で切断することによって形成されている。本実施形態においては、裏面側壁部１６２の上端から、接地部１４１から１．５センチメートルの高さまで切断し、幅１．２センチメートル、長さ７．５センチメートル程度の帯状部１８０を形成している。
【００４５】
切り込み部１８１は、前述のようにして形成された帯状部１８０の所定の位置に、一方は裏面部側から、他方は裏面部とは反対側の端部側縁から垂直に、帯状部１８０の幅半分までを切断することによって形成されている。切り込み部１８１の終点部分には、小さな円形の孔（以下、「結合部留孔１８１ａ」という。）が開けられており、この孔によって切り込み部１８１が簡単に裂けたりしないようになっており、また結合部１８２が簡単に外れないようになっている。
【００４６】
結合部１８２は、裏面部１３０の両側に形成された帯状部１８０を互いが重なり合うように、背面に向かって折り曲げ、帯状部１８０に形成された切り込み部１８１を両側から引っ掛けることによって両者を結合することによって形成されている。なお、この時、帯状部１８０の先端部分が接地面に対して重なり合った部分よりも上になるように重ね合わせることが望ましい。帯状部１８０の先端部を上にすることによって、一方の帯状部１８０の先端が他方の帯状部１８０の上に重なるため、ペーパーホルダ１００の立体形状を安定させることができるからである。
【００４７】
また、本実施形態においては、この結合部１８２によって、接地用山折り部１４０の後方の間隔がこれに対応する表面部１２０の底部の幅よりも狭くなっている。これによって、表面部１２０が適度に傾斜し、視認性を高めると共に、側壁部１６０と表面部１２０との角度が狭まって、タマカーブ１７１の曲率が大きくなり、タマカーブ１７１の弾性力をより大きなものにし、上述した裏面部１３０の表面部１２０への押し付け力をより強固なものにしている。
【００４８】
続いて、本実施形態に係るインフォメーションシート保持用ペーパーホルダ１００の組立て方法について説明する。図５は、図１に示したペーパーホルダ１００の製作前の展開図である。また、図６及び図７は、図１に示したインフォメーションシート保持用ペーパーホルダ１００の製作過程を順々に示す組立て説明図（図６（ａ））、（図６（ｂ））、（図７（ａ））、及び（図７（ｂ））である。
【００４９】
前述したように、本実施形態に係るインフォメーション保持用ペーパーホルダ１００は、例えばＡ４の規格に適合した矩形形状の一枚の紙からなる台紙１１０によって構成されており、図５に示すような山折り線及び谷折り線に沿って、予め折り目加工が施されている。なお、表示窓１２１、切除部１４２、帯状部１８０、切り込み部１８１の切り取り線は、予め切り取られていても良いし、ミシン目を入れる等、簡単に切り取ることができるような加工を施しておいても良い。なお、本実施形態に係るペーパーホルダ１００の台紙としては、上質紙６／４（四六判）１３５ｋｇベースの紙を台紙３１０として用いている。なお、詳細な寸法等については後述する。
【００５０】
この台紙１１０を用いてペーパーホルダ１００を作成するには、まず、図６（ａ）に示すように、２本の接地用山折り部１４０を山折りにする。この時、予め折り目加工が施されているため、簡単に２本の接地用山折り部１４０を折り曲げることができる。なお、接地用山折り部１４０を山折りにしても平坦形状を保持することが可能であるため、販売、配付等する際に、接地用山折り部１４０を初めから山折りにした状態にしておいても良い。
【００５１】
次に、図６（ｂ）に示すように、表面部１２０と裏面部１３０の両側に形成された側方山折り部１５１と側方谷折り部１５２を背面に折り曲げる。この時、予め折り目加工が施されているため、接地用山折り部１４０を折り曲げた状態で、左右両端を持って折り目に沿って折り曲げるだけで、側壁部１６０とタマカーブ１７１が簡単に形成される。なお、接地部１４１が面状になっているため、側方折り曲げ部を折り曲げる際に一部重なってしまい折り曲げ難いという問題については、側方山折り部１５１及び側方谷折り部１５２と接地部１４１とが接触する位置に、略三角形状の切除部を設け、重なる部分を排除することにより支障なく折り曲げることができるようにして対処している。
【００５２】
次に、図７（ａ）に示すように、両側壁に形成された帯状部１８０を背面の内側に向かってそれぞれ折り曲げ、図７（ｂ）に示すように、帯状部１８０の先端部が上になるようにして帯状部１８０同士を重ね合わせて切り込み部１８１を引っかけて結合させる。
【００５３】
また、ペーパーホルダ１００を組み外す際には、上述した結合部１８２を外して、左右両端を引っ張って側方折り曲げ部を平らにすれば良い。こうすることで、使用者はペーパーホルダ１００をシート形状に簡単に戻すことが可能となる。
【００５４】
上述したように、本実施形態にかかるペーパーホルダ１００は、非常に簡単な手作業によって組立て、組み外しをすることができる。
【００５５】
例えば、ペーパーホルダ１００やシートＳに宣伝広告を付して客先に配付し、宣伝効果を期待するような場合には、客先で常に目に付くような場所に設置してもらうことは大切である。この際、本実施形態に係るペーパーホルダを用いれば、台紙１１０を二つ折りにしただけの状態で客先に配付しても、簡単に組立てられるので、すぐに使って貰うことが期待できる。また、配付時にはシート状にしておくことができるので、保管時や搬送時の利便性にも優れている。
【００５６】
また、ペーパーホルダ１００によって保持したカレンダシートＣに予定等を書き入れたい時には、中のシートＣを抜いてシートＣに書き込んだ後に再びペーパーホルダ１００に差し込んでも良いし、結合部１８２を外してペーパーホルダ１００全体を平坦にし、カレンダシートＣをホルダに収容したままの状態で予定を書き込み、また組立てても良い。
【００５７】
また、使用後リサイクルに出す際にも、簡単に組み外すことができるので面倒でない。更に、規格に適合した紙を用いていることで、一般に多く出されるリサイクル紙と形状が略一致する。従って、リサイクル紙と共にまとめる際に、台紙１１０を折畳んだり切り取ったりする手間もなく、利便に優れている。このような商品を多く市場に流通させ、リサイクルに対する意識の向上を図り、資源再利用に関する循環産業を発展させることができる。なお、本実施形態においては、一例として上質紙を台紙として用いたが、リサイクルの観点から再生紙を用いるのが最も好ましい。
【００５８】
続いて、上述した本実施形態に係るインフォメーションシート保持用ペーパーホルダ１００の他の使用例について説明する。図８は、ペーパーホルダ１００の写真立てとしての使用例を示す正面図である。図８に示すように、ペーパーホルダ１００にカレンダシートＣの代わりに写真Ｐを挟み、写真立てとして用いることも可能である。
【００５９】
写真立てとして使用する際にも、ペーパーホルダ１００の組立て、組み外しが簡単であるという効果を発揮することができる。例えば、複数のペーパーホルダ１００を用意し、それぞれに好きな写真Ｐを入れて好きなようにデコレーションしてクリアホルダ等に入れ、机上や飾り棚の片隅に置いておけば、毎日の気分で好きなように飾りかえることのできる写真立てになる。また、２〜３枚の写真Ｐをペーパーホルダ１００に挟み込んでおき、気分に応じて写真Ｐを差し替えも良い。
【００６０】
また、上述したように、全体が比較的薄手の紙でできており、かつ接地用山折り部１４０で折り畳んだ状態でシート状をなすため、気に入った写真Ｐをピックアップして側壁部１６１を切除し、このままアルバム等に挟むこともできる。
【００６１】
なお、最終的にリサイクルすることを本発明の目的としているので、このデコレーションに用いるシール等の素材も、全て紙によって構成されていることが望ましい。
【００６２】
続いて、本実施形態におけるペーパーホルダ１００の、カレンダホルダとしての特別な使用例について説明する。図９（ａ）は、ペーパーホルダ１００のカレンダホルダとしての特別な使用例を示す正面図である。ペーパーホルダ１００の表面部１２０が、比較的薄手の紙素材から構成されており、接地面に対して傾斜して安定した構造を保持しているため、図９（ａ）に示すように、更にもう一枚又は二枚のシートＳを、表示部の上端部にクリップ等で留めることによって保持することが可能となる。従って、例えば、前月分、翌月分のカレンダシートＣや、好きな絵や漫画等を表示させておくことが可能となる。
【００６３】
続いて、本実施形態におけるペーパーホルダ１００の、写真立てとしての特別な使用例について説明する。図９（ｂ）は、ペーパーホルダ１００の写真立てとしての特別な使用例を示す斜視図である。ペーパーホルダ１００が、組立て前にシート状の平坦形状を有し、また組立て、組外しが非常に簡単である特性を生かして、図９（ｂ）に示すように、ペーパーホルダ１００に写真を挟み、クリップ等で留めてこのまま知り合いや友人に渡すことができる。
【００６４】
例えば、幼稚園や学校、職場等での様々なイベントの際のスナップ写真Ｐや、誕生日や結婚式など特別な日に撮った写真Ｐを、配付する機会は多々ある。その際、一枚の写真Ｐを配付するためだけであっても一枚ずつ封筒に入れて渡さなければならず、封筒はすぐに不要になるため、環境上好ましいとは言えない。しかし、本実施形態におけるペーパーホルダ１００に挟めば、これを捨てることなく、写真立てとしてそのまま暫く飾っておくことができる。特別な写真Ｐは飾っておきたいものであるし、また、上述したように何枚かを簡単に飾り変えることもでき、更にこのままアルバムに挟むこともできるため、使い勝手が良い。
【００６５】
続いて、上述した本実施形態の第１変形例に係るインフォメーションシート保持用ペーパーホルダ２００について説明する。なお、上述の実施形態と同等の構成については、対応する符号を付して詳細な説明を省略する。図１０は、本発明の一実施形態の第１変形例に係るインフォメーションシート保持用ペーパーホルダ２００の正面図、図１１及び図１２は、ペーパーホルダ２００の背面図、図１３は、ペーパーホルダ２００の上面図、図１４は、ペーパーホルダ２００の側面図、図１５は、ペーパーホルダ２００を示す底面図である。また、図１６は、ペーパーホルダ２００の製作前の展開図である。
【００６６】
第１変形例においては、表面部２２０は上述した実施形態に係るペーパーホルダ２００に比べてやや幅が狭い構造となっている。また、図１０に示すように、表面部２２０には表示窓１２１が開けられていない。このため、使用者は、表面部２２０全体に広告等を表示したり、好みのイラストを描いたり、シールを貼ったりして使用することができる。
【００６７】
また、図１６に示すように、表面部２２０と裏面部２３０の間に広い空間を有しており、メモ用紙Ｍ等の紙片を多数挟んで使用することができるようになっている。また、接地部２４１の領域となる二本の接地用山折り部２４０の幅が広くなっている。
【００６８】
また、タマカーブ２７１を形成するＶ字状のシート押え用谷折り部２７０に挟まれたタマカーブ領域２７１は、前述した実施形態におけるタマカーブ領域１７１よりも広くなっている。このため、タマカーブ２７１の持つ弾性力が大きくなり、裏面部２３０をより強固に押さえ付けている。
【００６９】
また、接地部２４１の幅を広くしたことで形成される、組立ての際に支障となる冗長部を折り曲げ易くするため、側方谷折り部２５２の裏面側壁部側に逃がし部２４３を形成している。
【００７０】
また、裏面側壁部２６２は、底辺が接地部２４１の幅をもって表面側壁部２６１から離間しており、上端部にかけて表面側壁部２６１に向かって近づく方向に湾曲している。この湾曲部の弾性力によって、タマカーブ２７１が裏面部２３０を表面部２２０に押さえ付ける力をより強いものにしている。なお、この湾曲部は、タマカーブ２７１と同等の効果を発揮するものであるので、第２のタマカーブ２７３とし、裏面側壁部２６２の湾曲した部分を、特に第２タマカーブ領域２７４とする。
【００７１】
また、両側壁部２６０を結合する結合部２８２を形成する帯状部２８０の幅を広くして、結合部２８２をより強固なものにしている。更に、帯状部２８０の端部側縁によって裏面側壁部２６２を背面方向から押さえ付けて、裏面側壁部２６２のメモ用紙を押さえる力をより強固なものにしている。
【００７２】
また、裏面側壁部２６２の端部からなる第１の結合部２８２に加えて、表面側壁部２６１の端部からなる第２の結合部２９２を第１の結合部２８２の上側に形成し、二重に両側壁部２６０を引っ張っている。
【００７３】
また、本変形例においても、図１６に示すように、上面視矩形の比較的薄手の紙を用いて、特別な形状に打ち抜くような加工を施すことなく構成されている。本変形例においては、例えばＡ４の規格に適合した紙を用いて、折り目加工のみによって製造することができるようになっている。
【００７４】
上述した構成により、この変形例においては、例えば１００枚程度のメモ用紙Ｍを挟みこんでも、その重さに十分耐え得るだけの強度を有している。そのため、本変形例に係るペーパーホルダ２００は、沢山のメモ用紙Ｍを保持することができるメモスタンドとして用いることができる。なお、この変形例においては、メモ用紙Ｍを挟む用途に適しているため、以下、適宜「メモスタンド」という。
【００７５】
メモ用紙Ｍ差込部の幅が一定の箱型形状を有する従来のメモスタンドでは、差込部の幅に適合した厚みを有する多量のメモ用紙Ｍを入れれば安定して保持されるが、枚数が少なくなるとメモスタンドにうまく収まらなくなり、メモ用紙Ｍがばらばらになってしまう。この結果、メモ用紙Ｍが取り出しにくくなったり折れ曲がったりしてしまう虞がある。しかしながら、本発明に係るメモスタンド２００を用いれば、第１のタマカーブ２７１及び第２のタマカーブ２７３の弾性力によって、裏面部１３０を表面部１２０に適宜押さえ付けながらメモ用紙Ｍを保持するので、例えば１００枚のメモ用紙Ｍの厚みであっても安定して保持することができ、かつ、使ってしまって数枚のメモ用紙Ｍになって厚みがなくなっても、メモ用紙Ｍを安定してまとめておくことができる。
【００７６】
また、裏面部１３０の上端部をメモスタンド２００の後方に向かって軽く押すだけで表面部１２０と裏面部１３０との間隔を広げることができ、手を離せばタマカーブの弾性力が働いて、再度裏面部１３０を表面部１２０に押さえ付ける。その結果、例えばメモ用紙Ｍを使い終わってメモ用紙Ｍがなくなった時や、使い終わらないうちであっても新しいものに差し替えたくなった時に、新しいメモ用紙Ｍを簡単に差し込むことができる。
【００７７】
このことによって、従来のようにメモ用紙Ｍを多数重ね合わせた状態で一側辺を糊などで固着させた状態にしなくても、常にまとまった状態で、メモ用紙Ｍを机上に保持しておくことが可能となる。そのため、互いに完全に重なり合ったメモ用紙Ｍを一枚ずつ捲って糊付けされた部分を剥がさなくても、メモ用紙Ｍを簡単に取り出すことができ、使い勝手が良い。
【００７８】
また、本変形例に係るペーパーホルダ２００の表面部１２０の上部端部にペンを挟んでおけば、より使い勝手が良くなる。
【００７９】
また、飲食店などで、ペーパーナプキンを挟むホルダとして使用し、表面部２２０にメニューや広告を印刷しておくのも良い。ペーパーホルダ２００がリサイクル性に優れた紙素材でできているため、短いサイクルをもって変化する商品を高い頻度で入れ替えても、環境に悪影響を与えることが少ない。
【００８０】
また、上述したように、第１の帯状部２８０と第２の帯状部２８０に形成された切込み部を引っかけて結合させるだけで組み立てることができ、それらを外すことによって簡単に組み外すことができるように形成されている。このため、上述した実施形態に係るペーパーホルダ１００と同様に、搬送時にはシート状にして搬送することができ、また、使用後には簡単に組み外してリサイクルに出すことが可能となる。
【００８１】
続いて、本実施形態の第２変形例について説明する。なお、上述の実施形態と同等の構成については、対応する符号を付して詳細な説明を省略する。図１７は、本発明の一実施形態の第２変形例に係るインフォメーションシート保持用ペーパーホルダ３００を示す正面図、図１８は、ペーパーホルダ３００を示す背面図、図１９は、ペーパーホルダ３００を示す上面図である。
【００８２】
本変形例に係るインフォメーションシート保持用ペーパーホルダ３００（以下、適宜「メモスタンド３００」とする。）は、第１変形例に係るメモスタンド２００と比較して、第２の結合部３８２を形成する第２の帯状部３９０に入れられた第２の切込み部３９１が、第２の帯状部３８０の付け根から近い位置にある。そのため、両側壁部３６０の後方端部の間隔が、裏面部３３０の幅と比較して狭くなると共に、表面部３２０及び裏面部３３０と、両側壁部３６０とのなす角が、第１変形例と比較して鋭角になっている。
【００８３】
このことによって、メモ用紙Ｍが裏面部３３０を押す力が、タマカーブ３７１を介して表面側壁部３６１に作用する。この時、上述したように、表面側壁部３６０の後端は互いに間隔が狭くなるように、結合部３８２によってしっかりと引っ張られているので、表面側壁部３６１を押し広げようとする力を、結合部３８２の係止力によって安定させることができる。なお、上述した一実施形態及び第１変形例と同様に、メモ用紙の重みがタマカーブ３７１の弾性力を介して裏面側壁部３６２に伝わることによってタマカーブ３７１に吸収され、直接裏面側壁部３６２に力が作用しないため、メモ用紙Ｍの重みによってメモスタンド３００が変形する虞が少ない。
【００８４】
また、両側壁部３６０が、後方において結合部３８２によって引っ張られることにより、裏面部３３０が接地面に対してより後方に傾斜するため、メモ用紙Ｍの重みによって全体の重心が後方に移動する。この時、前述したように、両側壁部３６０の後方端部の間隔が裏面部３３０の幅と比較して狭くなっており、後方には倒れにくい構造になっているため、メモスタンド３００全体が安定する。
【００８５】
また、メモ用紙の枚数が少なくなっても、裏面部が後方に傾斜しているので、メモスタンドに後方からの風などのきっかけによって前方に倒れ難くなっている。
【００８６】
更に、第２の帯状部３９０は、第１変形例に係るメモスタンド２００と比較して幅が狭くなっている。第１の帯状部３８０には切り込み部を形成せず、小さく折り畳まれて、第２の結合部３９２の下部に収容されている。この折畳まれた第１の帯状部３８０の重みにより、メモスタンド３００の重心を低くすることができ、メモスタンド３００をより安定させている。
【００８７】
上述した構造にすることによって、第１の変形例に比べて、更に薄い台紙３１０を用いて、安定した構造のメモスタンドを作成することに成功した。なお、本変形例に係るメモスタンド３００には、上述した一実施形態に係るペーパーホルダ１００と同様に、上質紙６／４（四六判）１３５ｋｇベースの紙を台紙３１０として用いている。なお、詳細な寸法等については後述する。
【００８８】
薄肉の台紙３１０を用いることによって、タマカーブ３８０の弾性力がより大きくなり、メモ用紙Ｍの重みによって重心を更に後方に傾けることができる。その結果、メモスタンド３００が前方に倒れることなく、より多くのメモ用紙Ｍを差し込むことが可能となった。本変形例に係るメモスタンド３００によると、２００枚程度のメモ用紙Ｍを差し込むことが可能である。
【００８９】
次に、本変形例に係るメモスタンド３００の使用例について説明する。図２０は、本変形例に係るメモスタンド３００の使用状態を示す正面図である。本変形例においては、上述した構成により、強度と安定性において非常に優れた構成となっているため、図２０に示すように、２００枚ほどのメモ用紙Ｍを入れ、更に鋏やホチキス等の事務用品を差し込んでも、倒れたり変形したりすることなく、安定して使用することが可能となる。狭い事務机の上では、事務用品をこのようにまとめられれば使い勝手も良く、便利である。
【００９０】
なお、上述した実施例及び変形例に記載した各要素の長さは一例に過ぎず、本発明の奏する作用を発揮することができれば、様々な形状のペーパーホルダにすることが可能となる。また、表示窓は矩形に限らず、効果的に写真やカレンダ等のシートＳを表示することができれば、円形、楕円形等、用途や好みに応じて、様々な形状の表示窓とすることが可能である。
【００９１】
また、本実施形態及び変形例においては、接地部を面状とするために設置用山折り部を２本設けたが、線状の接地部によっても十分その機能を発揮することができるため、設置用山折り部を１本にしても良い。その場合は、側方領域を無理なく折りたたむことができるため、切除部を敢えて設ける必要はない。
【００９２】
また、上記実施例及び変形例について、最も広く使われる再生紙を用いて具体的に試作品を作成し、強度及び安定性に最も優れたペーパーホルダを作成するための寸法についてより詳細に検討した。
【００９３】
図１から図９に示した一実施形態の最良の実施例としては、図２２に示すような寸法が最良であることがわかった。従って、図２２に即して折り目等の加工をすれば、強度及び安定性に最も優れたペーパーホルダを得ることができる。
【００９４】
また、図１７から図２１に示した第２変形例についても同様に検討したところ、図２３に示すような寸法が最良であることがわかった。従って、図２３に即して折り目等の加工をすれば、強度及び安定性に最も優れたメモスタンドを得ることができる。
【符号の説明】
【００９５】
１００    インフォメーションシート保持用ペーパーホルダ
１１０    台紙
１２０    表面部
１２１    表示窓
１３０    裏面部
１４０    接地用山折り部
１４１    接地部
１４２    切除部
１５０    側方領域
１５１    側方山折り部
１５２    側方谷折り部
１６０    側壁部
１６１    表面側壁部
１６２    裏面側壁部
１７０    シート押え用谷折り部
１７１    タマカーブ
１７２    タマカーブ領域
１８０    帯状部
１８１    切込み部
１８１ａ    結合部留孔
１８２    結合部
１８３    先端部
Ｓ    インフォメーションシート
Ｃ    カレンダシート
Ｐ    写真
２００    インフォメーションシート保持用ペーパーホルダ
２１０    台紙
２２０    表面部
２３０    裏面部
２４０    接地用山折り部
２４１    接地部
２４２    切除部
２４３    逃がし部
２５０    側方領域
２５１    側方山折り部
２５２    側方谷折り部
２６０    側壁部
２６１    表面側壁部
２６２    裏面側壁部
２７０    シート押え用谷折り部
２７１    タマカーブ
２７２    タマカーブ領域
２７３    第２のタマカーブ
２７４    第２のタマカーブ領域
２８０    第１の帯状部
２８１    第１の切込み部
２８１ａ    第１の結合部留孔
２８２    第１の結合部
２８３    先端部
２９０    第２の帯状部
２９１    第２の切込み部
２９１ａ    第２の結合部留孔
２９２    第２の結合部
２９３    先端部
Ｍ    メモ用紙
３００    インフォメーションシート保持用ペーパーホルダ
３１０    台紙
３２０    表面部
３３０    裏面部
３４０    接地用山折り部
３４１    接地部
３４２    切除部
３４３    逃がし部
３５０    側方領域
３５１    側方山折り部
３５２    側方谷折り部
３６０    側壁部
３６１    表面側壁部
３６２    裏面側壁部
３７０    シート押え用谷折り部
３７１    タマカーブ
３７２    タマカーブ領域
３８０    第１の帯状部
３８１    第１の切込み部
３８１ａ    結合部留孔
３８２    第１の結合部
３８３    先端部
３９０    第２の帯状部
３９１    第２の折込み部
３９２    第２の結合部
３９３    先端部
【図１】
2011067951.tif 000003
【図２】
2011067951.tif 000004
【図３】
2011067951.tif 000005
【図４】
2011067951.tif 000006
【図５】
2011067951.tif 000007
【図６】
2011067951.tif 000008
【図７】
2011067951.tif 000009
【図８】
2011067951.tif 000010
【図９】
2011067951.tif 000011
【図１０】
2011067951.tif 000012
【図１１】
2011067951.tif 000013
【図１２】
2011067951.tif 000014
【図１３】
2011067951.tif 000015
【図１４】
2011067951.tif 000016
【図１５】
2011067951.tif 000017
【図１６】
2011067951.tif 000018
【図１７】
2011067951.tif 000019
【図１８】
2011067951.tif 000020
【図１９】
2011067951.tif 000021
【図２０】
2011067951.tif 000022
【図２１】
2011067951.tif 000023
【図２２】
2011067951.tif 000024
【図２３】
2011067951.tif 000025
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
矩形形状の紙を折り畳むことで形成されるインフォメーションシート保持用ペーパーホルダにおいて、
対向する側縁が一致するか平行となるように折り畳むことで形成される山折り部であって、前記矩形形状の紙を互いに重なって一方が表面部をなしかつ他方が裏面部をなすように山折りして前記インフォメーションシート保持用ペーパーホルダを置く台との接地部をなす接地用山折り部と、
前記接地用山折り部で折り畳まれた一方の面をなす表面部に形成された表示窓と、
前記折り畳まれた表面部と裏面部の両端から一定の領域を前記表面部から見て山折する側方折り曲げ部を有し、
前記側方折り曲げ部は、前記表面部を山折りして形成される側方山折り部と、前記裏面部を谷折して形成される側方谷折り部からなり、
前記側方折り曲げ部の折り線方向は、前記インフォメーションシート保持用ペーパーホルダの使用状態で見て前記表面部の幅が高さ方向に広がるように斜めに形成され、
前記側方谷折り部の、前記接地用山折り部から一定距離離間した位置において前記裏面部から見て略Ｖ字状のシート押さえ用谷折り部が形成され、
前記略Ｖ字状のシート押さえ用谷折り部によって画成される逆三角形領域の上側縁部を内側に湾曲させ、
前記略Ｖ字状のシート押さえ用谷折り部の湾曲した部分の弾性力を介して前記裏面部の両端を前記表面部の表示窓周囲の領域に押し付け、
前記インフォメーションシート保持用ペーパーホルダの使用状態で見て、前記裏面部の両側縁を当該裏面部の上端から一定距離だけ所定幅で切断して帯状部を形成し、かつ当該切断した帯状部の下端をその先端が互いに重なり合う向きに折り曲げ、
前記折り曲げられた帯状部の一方と他方にそれぞれ幅方向異なる縁から幅方向に一部切り込みを入れ、
前記各切り込み同士を引っかけて結合していることを特徴とするインフォメーションシート保持用ペーパーホルダ。
【請求項２】
前記接地用山折り部を形成する代わりに、前記接地部を形成するための山折り部が幅狭の互いに平行した２本の山折り部からなり、当該各山折り部で挟まれた幅狭の領域が前記接地用山折り部の代わりに前記接地部をなすことを特徴とする、請求項１に記載のインフォメーションシート保持用ペーパーホルダ。
【請求項３】
前記側方折り曲げ部の折り曲げ前の状態において、前記接地用山折り部と前記側方折り曲げ部との交点を起点として前記側方折り曲げ部と前記接地用山折り部とで挟まれる一定領域を切除したことを特徴とする、請求項１又は請求項２に記載のインフォメーションシート保持用ペーパーホルダ。
【請求項４】
前記表面部に表示窓を形成する代わりに、当該窓部の領域を前記表面部をなす紙のままとし、前記表面部の任意の位置に情報を表示可能としたことを特徴とする、請求項１に記載のインフォメーションシート保持用ペーパーホルダ。
【手続補正２】
【補正対象書類名】明細書
【補正対象項目名】００１７
【補正方法】変更
【補正の内容】
【００１７】
上述した課題を解決するために、本発明の請求項１に係るインフォメーションシート保持用ペーパーホルダは、
矩形形状の紙を折り畳むことで形成されるインフォメーションシート保持用ペーパーホルダにおいて、
対向する側縁が一致するか平行となるように折り畳むことで形成される山折り部であって、前記矩形形状の紙を互いに重なって一方が表面部をなしかつ他方が裏面部をなすように山折りして前記インフォメーションシート保持用ペーパーホルダを置く台との接地部をなす接地用山折り部と、
前記接地用山折り部で折り畳まれた一方の面をなす表面部に形成された表示窓と、
前記折り畳まれた表面部と裏面部の両端から一定の領域を前記表面部から見て山折する側方折り曲げ部を有し、
前記側方折り曲げ部は、前記表面部を山折りして形成される側方山折り部と、前記裏面部を谷折して形成される側方谷折り部からなり、
前記側方折り曲げ部の折り線方向は、前記インフォメーションシート保持用ペーパーホルダの使用状態で見て前記表面部の幅が高さ方向に広がるように斜めに形成され、
前記側方谷折り部の、前記接地用山折り部から一定距離離間した位置において前記裏面部から見て略Ｖ字状のシート押さえ用谷折り部が形成され、
前記略Ｖ字状のシート押さえ用谷折り部によって画成される逆三角形領域の上側縁部を内側に湾曲させ、
前記略Ｖ字状のシート押さえ用谷折り部の湾曲した部分の弾性力を介して前記裏面部の両端を前記表面部の表示窓周囲の領域に押し付け、
前記インフォメーションシート保持用ペーパーホルダの使用状態で見て、前記裏面部の両側縁を当該裏面部の上端から一定距離だけ所定幅で切断して帯状部を形成し、かつ当該切断した帯状部の下端をその先端が互いに重なり合う向きに折り曲げ、
前記折り曲げられた帯状部の一方と他方にそれぞれ幅方向異なる縁から幅方向に一部切り込みを入れ、
前記各切り込み同士を引っかけて結合していることを特徴としている。
【手続補正３】
【補正対象書類名】明細書
【補正対象項目名】００２４
【補正方法】変更
【補正の内容】
【００２４】
また、本発明の請求項２に係るインフォメーションシート保持用ペーパーホルダは、
前記接地用山折り部を形成する代わりに、前記接地部を形成するための山折り部が幅狭の互いに平行した２本の山折り部からなり、当該各山折り部で挟まれた幅狭の領域が前記接地用山折り部の代わりに前記接地部をなすことを特徴としている。
【手続補正４】
【補正対象書類名】明細書
【補正対象項目名】００２５
【補正方法】変更
【補正の内容】
【００２５】
本発明の請求項２に係るインフォメーションシート保持用ペーパーホルダによると、前記表面部と裏面部との間に一定間隔隙間ができることによって、中に挟むシートが複数枚あり、全体として厚みが生じてしまうような場合でも、抵抗なく挟むことができる。また、接地用山折り部が厚みを持つことによって、より安定して立体形状を保つことが可能となる。更に、比較的薄い紙を用いた場合でも、表面部と裏面部が厚みを持った立体形状になることにより、表面部に垂直にかかる力に強い形状になるため、表面部の面が折れ曲がり難くなる。
【手続補正５】
【補正対象書類名】明細書
【補正対象項目名】００２６
【補正方法】変更
【補正の内容】
【００２６】
また、本発明の請求項３に係るインフォメーションシート保持用ペーパーホルダは、
前記側方折り曲げ部の折り曲げ前の状態において、前記接地用山折り部と前記側方折り曲げ部との交点を起点として前記側方折り曲げ部と前記接地用山折り部とで挟まれる一定領域を切除したことを特徴としている。
【手続補正６】
【補正対象書類名】明細書
【補正対象項目名】００２８
【補正方法】変更
【補正の内容】
【００２８】
また、本発明の請求項４に係るインフォメーションシート保持用ペーパーホルダは、
前記表面部に表示窓を形成する代わりに、当該窓部の領域を前記表面部をなす紙のままとし、前記表面部の任意の位置に情報を表示可能としたことを特徴としている。
【手続補正７】
【補正対象書類名】明細書
【補正対象項目名】００２９
【補正方法】変更
【補正の内容】
【００２９】
本発明の請求項４に係るインフォメーションシート保持用ペーパーホルダによると、窓部を開けないことによって、表面部に宣伝広告等を印刷し、メモ用紙等を保持するホルダとして使用することができる。前面の表面部に宣伝広告を印刷し、客先に配付することによって、効果的に宣伝文句を見せることが可能となる。
【手続補正８】
【補正対象書類名】明細書
【補正対象項目名】００４０
【補正方法】変更
【補正の内容】
【００４０】
側方領域１５０は、表面部１２０の側方山折り部１５１を山折りすることによって形成された山折り側方領域１５０と、裏面部１３０の側方谷折り部１５２を谷折りすることによって形成された谷折り側方領域１５０とからなる台形形状の領域である。側方山折り領域は、ペーパーホルダ１００の表面部１２０を支える表面側壁部１６１をなしており、側方谷折り領域は背面から裏面部１３０を支える裏面側壁部１６２をなしている。
【手続補正９】
【補正対象書類名】明細書
【補正対象項目名】００４１
【補正方法】変更
【補正の内容】
【００４１】
なお、側方山折り部１５１と側方谷折り部１５２が、接地面をなす底面に対して垂直ではなく、斜めに形成され、側方領域１５０が台形形状になるため、机上に置いた際にちょうど座った位置から表面部１２０が見易いような角度をもって、表面部１２０が接地面に対して斜めになっている。
【手続補正１０】
【補正対象書類名】明細書
【補正対象項目名】００６２
【補正方法】変更
【補正の内容】
【００６２】
続いて、本実施形態におけるペーパーホルダ１００の、カレンダホルダとしての特別な使用例について説明する。図９（ａ）は、ペーパーホルダ１００のカレンダホルダとしての特別な使用例を示す正面図である。ペーパーホルダ１００の表面部１２０が、比較的薄手の紙素材から構成されており、接地面に対して傾斜して安定した構造を保持しているため、図９（ａ）に示すように、更にもう一枚又は二枚のシートＳを、表面部１２０の上端部にクリップ等で留めることによって保持することが可能となる。従って、例えば、前月分、翌月分のカレンダシートＣや、好きな絵や漫画等を表示させておくことが可能となる。
【手続補正１１】
【補正対象書類名】明細書
【補正対象項目名】００７５
【補正方法】変更
【補正の内容】
【００７５】
メモ用紙差込部の幅が一定の箱型形状を有する従来のメモスタンドでは、差込部の幅に適合した厚みを有する多量のメモ用紙Ｍを入れれば安定して保持されるが、枚数が少なくなるとメモスタンドにうまく収まらなくなり、メモ用紙Ｍがばらばらになってしまう。この結果、メモ用紙Ｍが取り出しにくくなったり折れ曲がったりしてしまう虞がある。しかしながら、本発明に係るメモスタンド２００を用いれば、第１のタマカーブ２７１及び第２のタマカーブ２７３の弾性力によって、裏面部１３０を表面部１２０に適宜押さえ付けながらメモ用紙Ｍを保持するので、例えば１００枚のメモ用紙Ｍの厚みであっても安定して保持することができ、かつ、使ってしまって数枚のメモ用紙Ｍになって厚みがなくなっても、メモ用紙Ｍを安定してまとめておくことができる。
【手続補正１２】
【補正対象書類名】明細書
【補正対象項目名】００８０
【補正方法】変更
【補正の内容】
【００８０】
また、上述したように、第１の帯状部２８０と第２の帯状部２８０に形成された切込み部２８１，２９１を引っかけて結合させるだけで組み立てることができ、それらを外すことによって簡単に組み外すことができるように形成されている。このため、上述した実施形態に係るペーパーホルダ１００と同様に、搬送時にはシート状にして搬送することができ、また、使用後には簡単に組み外してリサイクルに出すことが可能となる。
【手続補正１３】
【補正対象書類名】明細書
【補正対象項目名】００８２
【補正方法】変更
【補正の内容】
【００８２】
本変形例に係るインフォメーションシート保持用ペーパーホルダ３００（以下、適宜「メモスタンド３００」とする。）は、第１変形例に係るメモスタンド２００と比較して、第２の結合部３９２を形成する第２の帯状部３９０に入れられた第２の切込み部３９１が、第２の帯状部３９０の付け根から近い位置にある。そのため、両側壁部３６０の後方端部の間隔が、裏面部３３０の幅と比較して狭くなると共に、表面部３２０及び裏面部３３０と、両側壁部３６０とのなす角が、第１変形例と比較して鋭角になっている。
【手続補正１４】
【補正対象書類名】明細書
【補正対象項目名】００８４
【補正方法】変更
【補正の内容】
【００８４】
また、両側壁部３６０が、後方において第２の結合部３９２によって引っ張られることにより、裏面部３３０が接地面に対してより後方に傾斜するため、メモ用紙Ｍの重みによって全体の重心が後方に移動する。この時、前述したように、両側壁部３６０の後方端部の間隔が裏面部３３０の幅と比較して狭くなっており、後方には倒れにくい構造になっているため、メモスタンド３００全体が安定する。
【手続補正１５】
【補正対象書類名】明細書
【補正対象項目名】００９１
【補正方法】変更
【補正の内容】
【００９１】
また、本実施形態及び変形例においては、接地部を面状とするために設置用山折り部を２本設けたが、線状の接地部によっても十分その機能を発揮することができるため、設置用山折り部を１本にしても良い。その場合は、側方領域を無理なく折り畳むことができるため、切除部を敢えて設ける必要はない。
【手続補正１６】
【補正対象書類名】明細書
【補正対象項目名】００９５
【補正方法】変更
【補正の内容】
【００９５】
１００    インフォメーションシート保持用ペーパーホルダ
１１０    台紙
１２０    表面部
１２１    表示窓
１３０    裏面部
１４０    接地用山折り部
１４１    接地部
１４２    切除部
１５０    側方領域
１５１    側方山折り部
１５２    側方谷折り部
１６０    側壁部
１６１    表面側壁部
１６２    裏面側壁部
１７０    シート押え用谷折り部
１７１    タマカーブ
１７２    タマカーブ領域
１８０    帯状部
１８１    切込み部
１８１ａ    結合部留孔
１８２    結合部
１８３    先端部
Ｓ    インフォメーションシート
Ｃ    カレンダシート
Ｐ    写真
２００    インフォメーションシート保持用ペーパーホルダ
２１０    台紙
２２０    表面部
２３０    裏面部
２４０    接地用山折り部
２４１    接地部
２４２    切除部
２４３    逃がし部
２５０    側方領域
２５１    側方山折り部
２５２    側方谷折り部
２６０    側壁部
２６１    表面側壁部
２６２    裏面側壁部
２７０    シート押え用谷折り部
２７１    タマカーブ
２７２    タマカーブ領域
２７３    第２のタマカーブ
２７４    第２のタマカーブ領域
２８０    第１の帯状部
２８１    第１の切込み部
２８１ａ    第１の結合部留孔
２８２    第１の結合部
２８３    先端部
２９０    第２の帯状部
２９１    第２の切込み部
２９１ａ    第２の結合部留孔
２９２    第２の結合部
２９３    先端部
Ｍ    メモ用紙
３００    インフォメーションシート保持用ペーパーホルダ
３１０    台紙
３２０    表面部
３３０    裏面部
３４０    接地用山折り部
３４１    接地部
３４２    切除部
３４３    逃がし部
３５０    側方領域
３５１    側方山折り部
３５２    側方谷折り部
３６０    側壁部
３６１    表面側壁部
３６２    裏面側壁部
３７０    シート押え用谷折り部
３７１    タマカーブ
３７２    タマカーブ領域
３８０    第１の帯状部
３８１    第１の折り込み部
３８３    先端部
３９０    第２の帯状部
３９１    第２の切込み部
３９１a 第２の結合部孔
３９２    第２の結合部
３９３    先端部